【手続補正書】
【提出日】平成20年4月17日(2008.4.17)
【手続補正１】
【補正対象書類名】明細書
【補正対象項目名】特許請求の範囲
【補正方法】変更
【補正の内容】
【特許請求の範囲】
【請求項１】  （ａ）多数の細孔を有する紡糸口金と、
（ｂ）紡糸口金の細孔の配置に応じた溶融ポリマーフィラメントの連続的に移動する配列を生成するために、前記紡糸口金に連通し、かつ紡糸口金を通して溶融ポリマーを送出するように配置されるポリマー送出源と、
（ｃ）前記紡糸口金の下に位置し、かつ溶融フィラメントの前記配列を受け入れ、移動するフィラメントの前記配列に対して内向きに冷却ガスを通すことによって、それを通ってフィラメントが移動するに従って溶融フィラメントの前記配列を冷却するように配置される急冷ゾーンと、
（ｄ）前記配列に、ある量の仕上液を塗布するための、急冷ゾーンの内側または下に位置する仕上剤アプリケーターであって、
（ｉ）移動する溶融フィラメントの配列の断面に一致する周縁を有するベースプレートと、
（ｉｉ）上部およびそれと同心の底部を有し、かつ前記ベースプレートに連結されている本体部分であって、前記底部の形が、ベースプレートの周縁によって画成される形状に一致し、前記上部と前記底部との間で延伸される複数のラインによって形成される表面が、フィラメントの配列の移動方向に対して外向きに傾斜している本体部分とを含む仕上剤アプリケーターと、
を含むことを特徴とする連続ポリマーフィラメントを紡糸するための溶融紡糸装置。
【請求項２】  放射状に内向きの冷却ガス流を受入れるように配置される急冷ゾーン内または下に位置し、フィラメントの配列にある量の仕上液を塗布する仕上剤アプリケーターを、備える連続ポリマーフィラメントを紡糸するための溶融紡糸装置であって、前記仕上剤アプリケーターが、
（ｉ）移動する溶融フィラメントの前記配列の断面に一致する周縁を有するベースプレートと、
（ｉｉ）上部およびそれと同心の底部を有し、かつ前記ベースプレートに連結されている本体部分であって、前記底部の形が、ベースプレートの周縁によって画成される形状に一致し、前記上部と前記底部との間で延伸される複数のラインによって形成される表面が、前記フィラメント配列の移動方向に対して外向きに傾斜している本体部分とを含むことを特徴とする溶融紡糸装置。
【請求項３】  フィラメント配列の断面に一致する周縁を有するベースプレートと、上部およびそれと同心の底部を有し、かつ前記ベースプレートに連結されている本体部分であって、前記底部の形が、前記ベースプレートの周縁によって画成される前記形状に一致し、前記上部と前記底部との間で延伸される複数のラインによって形成される表面が、フィラメント配列の移動方向に対して外向きに傾斜している本体部分と、を備えることを特徴とする移動するエキスパンデッドポリマーフィラメント配列に仕上剤を塗布するアプリケーター。
【請求項４】  紡糸口金にポリマーメルトを通して、ポリマーフィラメントの配列を形成し、
フィラメント配列を急冷ゾーンに送り、前記配列に対して内向きの冷却ガスを提供して、フィラメントを冷却し、
前記急冷ゾーン内または下に位置し、フィラメントに接触し、かつフィラメントに仕上剤を送出するよう配置された仕上剤アプリケーター上に、前記フィラメントを通す、
ことを備えることを特徴とする連続ポリマーフィラメントを紡糸する溶融紡糸方法。
【請求項５】  ポリマーフィラメントのエキスパンデッドアレイに仕上剤を塗布する方法であって、前記フィラメントを仕上剤アプリケーターの湿ったテーパー面と接触させることを備えることを特徴とする方法。
【手続補正２】
【補正対象書類名】明細書
【補正対象項目名】００４５
【補正方法】変更
【補正の内容】
【００４５】
説明のために、本発明を詳細に説明したが、当業者であれば、以下の特許請求の範囲により定義される精神および範囲から逸脱することなく、多数の変形および変更を加えることが可能であることは理解されよう。
本発明は、以下の実施の態様を含むものである。
１．（ａ）多数の細孔を有する紡糸口金と、（ｂ）紡糸口金の細孔の配置に応じた溶融ポリマーフィラメントの連続的に移動する配列を生成するために、前記紡糸口金に連通し、かつ紡糸口金を通して溶融ポリマーを送出するように配置されるポリマー送出源と、（ｃ）前記紡糸口金の下に位置し、かつ溶融フィラメントの前記配列を受け入れ、移動するフィラメントの前記配列に対して内向きに冷却ガスを通すことによって、それを通ってフィラメントが移動するに従って溶融フィラメントの前記配列を冷却するように配置される急冷ゾーンと、（ｄ）前記配列に、ある量の仕上液を塗布するための、急冷ゾーンの内側または下に位置する仕上剤アプリケーターであって、（ｉ）移動する溶融フィラメントの配列の断面に一致する周縁を有するベースプレートと、（ｉｉ）上部およびそれと同心の底部を有し、かつ前記ベースプレートに連結されている本体部分であって、前記底部の形が、ベースプレートの周縁によって画成される形状に一致し、前記上部と前記底部との間で延伸される複数のラインによって形成される表面が、フィラメントの配列の移動方向に対して外向きに傾斜している本体部分とを含む仕上剤アプリケーターとを含むことを特徴とする連続ポリマーフィラメントを紡糸するための溶融紡糸装置。
２．フィラメントの配列内および外に仕上剤アプリケーターを移動する手段をさらに備えることを特徴とする前記１に記載の装置。
３．前記急冷ゾーンが、放射式、クロスフロー式、または空気式急冷ゾーンであることを特徴とする前記１に記載の装置。
４．前記アプリケーターが、円錐形の仕上剤アプリケーターであることを特徴とする前記１に記載の装置。
５．前記仕上剤アプリケーターが、セラミック酸化物でコーティングされたフィラメント接触表面を含むことを特徴とする前記１に記載の装置。
６．前記仕上剤アプリケーターが、周囲繊維接触表面と連通する１つ以上の周囲仕上剤送出スロットを備えることを特徴とする前記１に記載の装置。
７．前記仕上剤アプリケーターが、前記紡糸口金の下１２０ｍｍ〜２００ｍｍの範囲の距離に位置することを特徴とする前記１に記載の装置。
８．前記仕上剤アプリケーターが、前記急冷ゾーンの下２００ｍｍ〜４００ｍｍの範囲の距離に位置することを特徴とする前記１に記載の装置。
９．環状であるフィラメントの配列が、フィラメント配列の外径の７０％〜１２０％の範囲で前記仕上剤アプリケーターの直径を決定する前記フィラメントの配列の内径および外径を備えることを特徴とする前記１に記載の装置。
１０．放射状に内向きの冷却ガス流を受入れるように配置される急冷ゾーン内または下に位置し、フィラメントの配列にある量の仕上液を塗布する仕上剤アプリケーターを、備える連続ポリマーフィラメントを紡糸するための溶融紡糸装置であって、前記仕上剤アプリケーターが、（ｉ）移動する溶融フィラメントの前記配列の断面に一致する周縁を有するベースプレートと、（ｉｉ）上部およびそれと同心の底部を有し、かつ前記ベースプレートに連結されている本体部分であって、前記底部の形が、ベースプレートの周縁によって画成される形状に一致し、前記上部と前記底部との間で延伸される複数のラインによって形成される表面が、前記フィラメント配列の移動方向に対して外向きに傾斜している本体部分とを含むことを特徴とする溶融紡糸装置。
１１．フィラメント配列の断面に一致する周縁を有するベースプレートと、上部およびそれと同心の底部を有し、かつ前記ベースプレートに連結されている本体部分であって、前記底部の形が、前記ベースプレートの周縁によって画成される前記形状に一致し、前記上部と前記底部との間で延伸される複数のラインによって形成される表面が、フィラメント配列の移動方向に対して外向きに傾斜している本体部分と、を備えることを特徴とする移動するエキスパンデッドポリマーフィラメント配列に仕上剤を塗布するアプリケーター。
１２．エキスパンデッドフィラメント配列に仕上剤を送出するための周囲送出スロットをさらに備え、前記周囲送出スロットが、本体部分の外面上の周囲繊維接触表面と連通することを特徴とする前記１１に記載のアプリケーター。
１３．前記仕上剤を送出および排出する流路を有するアームをさらに備え、前記アームが前記アプリケーターを支持し、さらに前記アームが前記周囲送出スロットと連結されることを特徴とする前記１２に記載のアプリケーター。
１４．前記アプリケーターが、直線移動デバイス上に取り付けられることを特徴とする前記１１に記載の装置。
１５．紡糸口金にポリマーメルトを通して、ポリマーフィラメントの配列を形成し、フィラメント配列を急冷ゾーンに送り、前記配列に対して内向きの冷却ガスを提供して、フィラメントを冷却し、前記急冷ゾーン内または下に位置し、フィラメントに接触し、かつフィラメントに仕上剤を送出するよう配置された仕上剤アプリケーター上に、前記フィラメントを通すことを備えることを特徴とする連続ポリマーフィラメントを紡糸する溶融紡糸方法。
１６．フィラメントをヤーンに形成することをさらに備えることを特徴とする前記１５に記載の方法。
１７．前記仕上剤アプリケーターが、閉じ込められた冷却ガスを除去し、かつフィラメント配列のフィラメント間の分離を保持するためのテーパー形状を含むことを特徴とする前記１５に記載の方法。
１８．ポリマーフィラメントが、ポリエステルからなることを特徴とする前記１５に記載の方法。
１９．前記ポリエステルが２成分ポリエステルからなることを特徴とする前記１８に記載の方法。
２０．前記２成分ポリエステルが、ポリ（エチレンテレフタラート）およびその共重合体からなる群から選択される第１成分と、ポリ（トリメチレンテレフタラート）およびその共重合体からなる群から選択される第２成分とを含むことを特徴とする前記１９に記載の方法。
２１．前記第１成分および前記第２成分は、重量比７０：３０〜３０：７０で存在することを特徴とする前記２０に記載の方法。
２２．ポリマーフィラメントのエキスパンデッドアレイに仕上剤を塗布する方法であって、前記フィラメントを仕上剤アプリケーターの湿ったテーパー面と接触させることを備えることを特徴とする方法。
２３．フィラメントの線密度のフィラメント間変動率が６％未満であることを特徴とする前記１５に記載の方法により製造したフィラメント。
２４．重量測定による仕上剤レベルの試料のばらつきが、％ＣＶにより測定された場合６％未満であることを特徴とする前記１５に記載の方法により製造したフィラメント。
２５．前記１６に記載の方法により製造したヤーン。
２６．前記１５に記載の方法により製造したポリエステルフィラメント。